【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
複数種類の識別情報を可変表示可能な可変表示装置を有し、可変表示の開始条件の成立に応じて前記可変表示装置に表示される識別情報の可変表示を開始し、該可変表示装置の表示結果が予め定められた特定の表示態様となった場合に遊技者にとって有利な状態に制御可能となる遊技機であって、
遊技の進行を制御し、前記可変表示装置の表示内容を決定する表示内容決定手段と、該表示内容決定手段の決定結果にもとづいて前記可変表示装置の表示状態を変化させるためのコマンドを出力するコマンド出力手段とを含む遊技制御手段と、
前記遊技制御手段が出力した前記コマンドにもとづいて前記可変表示装置の表示制御を行なう表示制御手段とを備え、
前記遊技制御手段は、前記コマンドとして、識別情報の可変表示の開始から終了までの期間である可変表示期間を特定可能なコマンドを可変表示を開始するときに出力し、可変表示期間が終了したときに、識別情報の停止を示すコマンドを出力し、
前記表示制御手段は、
前記可変表示期間を特定可能なコマンドを受信すると前記識別情報の可変制御を行い、前記識別情報の停止を示すコマンドを受信したら識別情報を停止させ、
さらに、前記可変表示期間中の所定時期において、前記識別情報の表示形態を、所定の第１の表示形態から、該第１の表示形態と同一の識別情報を示すが表示形態が異なる第２の表示形態へ変更する表示形態変更制御手段と、
前記複数種類の識別情報全てに対応する前記第１の表示形態の識別情報を記憶している第１の識別情報テーブルと、
前記複数種類の識別情報全てに対応する前記第２の表示形態の識別情報を記憶している第２の識別情報テーブルとを含み、
前記表示形態変更制御手段は、リーチ表示状態において、前記第１の識別情報テーブルに記憶されている第１の表示形態の識別情報を表示している状態から、前記第２の識別情報テーブルに記憶されている第２の表示形態の識別情報を表示する状態に変更し、前記可変表示の終了時には、前記第２の表示形態の識別情報を表示する状態から前記第１の表示形態の識別情報を表示する状態に変更することを特徴とする、遊技機。
【手続補正２】
【補正対象書類名】明細書
【補正対象項目名】０００６
【補正方法】変更
【補正の内容】
【０００６】
請求項１に記載の本発明は、複数種類の識別情報を可変表示可能な可変表示装置を有し、可変表示の開始条件の成立に応じて前記可変表示装置に表示される識別情報の可変表示を開始し、該可変表示装置の表示結果が予め定められた特定の表示態様となった場合に遊技者にとって有利な状態に制御可能となる遊技機であって、
遊技の進行を制御し、前記可変表示装置の表示内容を決定する表示内容決定手段と、該表示内容決定手段の決定結果にもとづいて前記可変表示装置の表示状態を変化させるためのコマンドを出力するコマンド出力手段とを含む遊技制御手段と、
前記遊技制御手段が出力した前記コマンドにもとづいて前記可変表示装置の表示制御を行なう表示制御手段とを備え、
前記遊技制御手段は、前記コマンドとして、識別情報の可変表示の開始から終了までの期間である可変表示期間を特定可能なコマンドを可変表示を開始するときに出力し、可変表示期間が終了したときに、識別情報の停止を示すコマンドを出力し、
前記表示制御手段は、
前記可変表示期間を特定可能なコマンドを受信すると前記識別情報の可変制御を行い、前記識別情報の停止を示すコマンドを受信したら識別情報を停止させ、
さらに、前記可変表示期間中の所定時期において、前記識別情報の表示形態を、所定の第１の表示形態から、該第１の表示形態と同一の識別情報を示すが表示形態が異なる第２の表示形態へ変更する表示形態変更制御手段と、
前記複数種類の識別情報全てに対応する前記第１の表示形態の識別情報を記憶している第１の識別情報テーブルと、
前記複数種類の識別情報全てに対応する前記第２の表示形態の識別情報を記憶している第２の識別情報テーブルとを含み、
前記表示形態変更制御手段は、リーチ表示状態において、前記第１の識別情報テーブルに記憶されている第１の表示形態の識別情報を表示している状態から、前記第２の識別情報テーブルに記憶されている第２の表示形態の識別情報を表示する状態に変更し、前記可変表示の終了時には、前記第２の表示形態の識別情報を表示する状態から前記第１の表示形態の識別情報を表示する状態に変更することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
［作用］
請求項１に記載の本発明によれば、遊技の進行を制御する遊技制御手段が、可変表示装置の表示内容を決定する表示内容決定手段と、該表示内容決定手段の決定結果にもとづいて可変表示装置の表示状態を変化させるためのコマンドを出力するコマンド出力手段とを含んでいる。表示制御手段の働きにより、遊技制御手段が出力した前記コマンドにもとづいて可変表示装置の表示制御が行なわれる。遊技制御手段は、前記コマンドとして、識別情報の可変表示の開始から終了までの期間である可変表示期間を特定可能なコマンドを可変表示を開始するときに出力し、可変表示期間が終了したときに、識別情報の停止を示すコマンドを出力する。表示制御手段の働きにより、前記可変表示期間を特定可能なコマンドを受信すると前記識別情報の可変制御が行われ、前記識別情報の停止を示すコマンドを受信したら識別情報が停止する。表示形態変更制御手段の働きにより、識別情報の可変表示の開始から終了までの可変表示期間中の所定時期において、前記識別情報の表示形態が、所定の第１の表示形態から、該第１の表示形態と同一の識別情報を示すが表示形態が異なる第２の表示形態へ変更される。さらに、表示制御手段は、前記複数種類の識別情報全てに対応する前記第１の表示形態の識別情報を記憶している第１の識別情報テーブルと、前記複数種類の識別情報全てに対応する前記第２の表示形態の識別情報を記憶している第２の識別情報テーブルとを含み、前記表示形態変更制御手段の働きにより、リーチ表示状態において、前記第１の識別情報テーブルに記憶されている第１の表示形態の識別情報を表示している状態から、前記第２の識別情報テーブルに記憶されている第２の表示形態の識別情報を表示する状態に変更され、前記可変表示の終了時には、前記第２の表示形態の識別情報を表示する状態から前記第１の表示形態の識別情報を表示する状態に変更される。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】０１８８
【補正方法】変更
【補正の内容】
【０１８８】
請求項１に関しては、可変表示期間中の所定時期において、第１の識別情報テーブルに記憶されている第１の表示形態の識別情報を表示している状態から、第２の識別情報テーブルに記憶されている第２の表示形態の識別情報を表示する状態に変更され、可変表示の終了時には、第２の表示形態の識別情報を表示する状態から第１の表示形態の識別情報を表示する状態に変更されるために、可変表示期間中に可変表示される識別情報の見た目の面白みを向上させることができる。また、可変表示を開始するときに可変表示期間を特定可能なコマンドが出力され、可変表示期間が終了したときに識別情報の停止を示すコマンドが出力されるために、表示制御手段は、可変表示を開始する時期と可変表示期間と識別情報を停止させる時期とを特定できる。しかも、リーチ表示状態において識別情報が第２の表示形態で表示されるために、第１の表示形態と同一の識別情報を示すが表示形態が異なる第２の表示形態でリーチの成立を効果的に演出でき、遊技者の期待感を盛り上げることができる。
【手続補正２３】
【補正対象書類名】明細書
【補正対象項目名】０１８９
【補正方法】削除
【補正の内容】
【手続補正２４】
【補正対象書類名】明細書
【補正対象項目名】０１９０
【補正方法】削除
【補正の内容】
【手続補正２５】
【補正対象書類名】明細書
【補正対象項目名】０１９１
【補正方法】削除
【補正の内容】
【手続補正２６】
【補正対象書類名】明細書
【補正対象項目名】０１９２
【補正方法】削除
【補正の内容】
【手続補正２７】
【補正対象書類名】明細書
【補正対象項目名】０１９３
【補正方法】削除
【補正の内容】
【手続補正２８】
【補正対象書類名】明細書
【補正対象項目名】０１９４
【補正方法】削除
【補正の内容】
【手続補正２９】
【補正対象書類名】明細書
【補正対象項目名】０１９５
【補正方法】削除
【補正の内容】
【手続補正３０】
【補正対象書類名】明細書
【補正対象項目名】０１９６
【補正方法】削除
【補正の内容】
【手続補正３１】
【補正対象書類名】明細書
【補正対象項目名】０１９７
【補正方法】削除
【補正の内容】